(57)【要約】      （修正有）【課題】空調用コントローラーの文字情報の記憶領域を減らしつつ、表示する連絡先の任意の文字情報の設定・変更を容易に行える空気調和システムを提供する。【解決手段】室外機３ａと室内機４ａを有する複数の空気調和機と、空調用コントローラ５ａを備え、これらを通信制御手段６，７で接続し、空調用コントローラ５ａの操作に基づいて運転を行う空気調和システムを構成する。さらに故障時の連絡先表示データを作成する連絡先表示入力装置１を設ける。前記室内機４ａは前記連絡先表示入力装置１から送信された連絡先表示データを受信し、制御部６ａにより前記空調用コントローラ５ａに送信する。空調用コントローラ５ａはこの連絡先表示データを記憶するとともにドットマトリクスの情報表示部に表示する。【選択図】図１
2011012824.tif 000002
【特許請求の範囲】
【請求項１】
室外機と室内機を有する複数の空気調和機と、操作スイッチとドットマトリックスの情報表示部を有する空調用コントローラを備え、前記複数の室外機と室内機および空調用コントローラとを通信制御手段で接続して空調用コントローラの操作に基づいて運転を行う空気調和システムにおいて、
故障時の連絡先表示データを作成して前記通信制御手段を介して前記各室内機に送信する連絡先表示入力装置を設け、
前記室内機は、前記連絡先表示入力装置から送信された連絡先表示データを受信し、受信した連絡先表示データを接続されている前記空調用コントローラに送信する制御部を備え、
前記空調用コントローラは表示データ記憶部と、前記室内機から送信された連絡先表示データを上記表示データ記憶部に記憶するとともに、前記情報表示部で表示するシステムコントローラを備えたことを特徴とする空気調和システム。
【請求項２】
請求項１に記載の空気調和システムにおいて、前記連絡先表示入力装置は、記憶されている連絡先表示データをビット単位のデータに変換するデータ変換部を備え、前記通信制御手段を介してビット単位のデータを複数の前記室内機に送信し、
各室内機は接続されている空調用コントローラにビット単位の連絡先表示データを送信し、
前記空調用コントローラは、受信したビット単位のデータをドットマトリックスのデータに変換するデータ変換部を備え、前記システムコントローラによりドットマトリックスのデータを前記表示データ記憶部に記憶するとともに、前記情報表示部にドットマトリックスで表示することを特徴とする空気調和システム。
【請求項３】
請求項１または２に記載の空気調和システムにおいて、前記連絡先表示入力装置は、前記通信制御手段に着脱可能に接続されたことを特徴とする空気調和システム。
【請求項４】
室外機と室内機を有する複数の空気調和機と、操作スイッチとドットマトリックスの情報表示部を有する空調用コントローラを備え、前記複数の室外機と室内機および空調用コントローラとを通信制御手段で接続して空調用コントローラの操作に基づいて運転を行う空気調和システムにおいて、
前記複数の空調用コントローラの中で特定の空調用コントローラは、故障時の連絡先表示データを複数記憶する表示データ記憶部と、この表示データ記憶部から連絡先表示データを読み出して、接続されている特定の室内機に送信するシステムコントローラを備え、
前記特定の室内機は、前記特定の空調用コントローラから送信された連絡先表示データを受信し、受信した連絡先表示データを他の室内機に送信する制御部を備え、
前記他の室内機は、前記特定の室内機から送信された連絡先表示データを受信し、接続されている空調用コントローラに送信する制御部を備え、
前記空調用コントローラは表示データ記憶部と、前記他の室内機から送信された連絡先表示データを上記表示データ記憶部に記憶するとともに、前記情報表示部で表示するシステムコントローラを備えたことを特徴とする空気調和システム。
【請求項５】
請求項１または４に記載の空気調和システムにおいて、前記特定の空調用コントローラは、前記表示データ記憶部に複数の連絡先表示データをドットマトリックスのデータで記憶し、前記表示データ記憶部から読み出したドットマトリックスのデータを伝送データに変換する符号データ構築部を備え、前記システムコントローラにより、接続されている特定の室内機に伝送データを送信し、
前記特定の室内機の制御部は、前記特定の空調用コントローラから受信したドットマトリックスのデータを伝送データに変換する符号データ構築部を備え、この伝送データを接続されている他の室内機に送信することを特徴とする空気調和システム。
【発明の詳細な説明】
【技術分野】
【０００１】
本発明は、空気調和システムに係り、特に、空調機の故障等発生時にサービス会社へ連絡するための連絡先表示情報の設定・変更を行なえる空気調和システムに関する。
【背景技術】
【０００２】
空調機の故障時にサービス会社へ連絡するためのサービス会社情報（会社名、電話番号等の連絡先表示データ）は、各空調機の室内ユニット（室内機）に対応して接続されている空調用コントローラーの表示器に表示され、利用に際しては空調用コントローラーに個々に設定、記憶される必要がある。空調用コントローラーの表示器は、特許文献１に示すようにドットマトリックス表示の液晶表示が採用され、連絡先情報の個別設定で連絡先の表示が可能になっている。
【０００３】
一般に連絡先表示情報は、空調機の設置時は図９に示すように製造会社の名称と電話番号となっており、連絡先表示情報を変更することで、図１０に示すようにサービス会社の名称と電話番号に変更される。そして、その後管理形態の変更等により、さらに図１１に示すように別なサービス会社の名称と電話番号に変更されることが多い。この場合、サービス会社の変更の都度、連絡先情報は修正される必要があり、規模の大きい空気調和システムにおいては、数十台から百台前後の室内機の個々の空調用コントローラーの連絡先情報を速やかに修正が必要となる。
【０００４】
しかしながら、実際の修正は、個々の空調用コントローラーのカーソルキーを操作しながら行なうため、膨大な時間がかかり誤修正する可能性もある。
【先行技術文献】
【特許文献】
【０００５】
【特許文献１】特開２００８−１９６７８２号公報
【発明の概要】
【発明が解決しようとする課題】
【０００６】
この対策としては、空気調和システム内の制御線を利用して、各空調用コントローラーの連絡先情報を修正することが考えられる。しかし、一般に個々の空調用コントローラーは、文字情報の記憶領域が小さく、また、製造時に設定された表示できる文字データの種類に制限（辞書は設定されてない）があるため、制御線を経由して連絡先情報として新たなサービス会社の新たな文字情報を受信しても記憶できず、また、新たな文字情報に対応する文字データが無い場合は表示も記憶もできないという問題がある。
【０００７】
本発明は、上記従来技術の問題点に鑑み、空調用コントローラーの文字情報の記憶領域を減らしつつ、表示する連絡先の任意の文字情報の設定・変更を容易に行なえる空気調和システムを提供するものである。
【課題を解決するための手段】
【０００８】
上記課題を解決するため本発明は、室外機と室内機を有する複数の空気調和機と、操作スイッチとドットマトリックスの情報表示部を有する空調用コントローラを備え、前記複数の室外機と室内機および空調用コントローラとを通信制御手段で接続して空調用コントローラの操作に基づいて運転を行う空気調和システムにおいて、
故障時の連絡先表示データを作成して前記通信制御手段を介して前記各室内機に送信する連絡先表示入力装置を設け、
前記室内機は、前記連絡先表示入力装置から送信された連絡先表示データを受信し、受信した連絡先表示データを接続されている前記空調用コントローラに送信する制御部を備え、
前記空調用コントローラは表示データ記憶部と、前記室内機から送信された連絡先表示データを上記表示データ記憶部に記憶するとともに、前記情報表示部で表示するシステムコントローラを備えたことを特徴とする。
【０００９】
また、上記記載の空気調和システムにおいて、前記連絡先表示入力装置は、記憶されている連絡先表示データをビット単位のデータに変換するデータ変換部を備え、前記通信制御手段を介してビット単位のデータを複数の前記室内機に送信し、
各室内機は接続されている空調用コントローラにビット単位の連絡先表示データを送信し、
前記空調用コントローラは、受信したビット単位のデータをドットマトリックスのデータに変換するデータ変換部を備え、前記システムコントローラによりドットマトリックスのデータを前記表示データ記憶部に記憶するとともに、前記情報表示部にドットマトリックスで表示することを特徴とする。
【００１０】
また、上記記載の空気調和システムにおいて、前記連絡先表示入力装置は、前記通信制御手段に着脱可能に接続されたことを特徴とする。
【００１１】
また、本発明は、室外機と室内機を有する複数の空気調和機と、操作スイッチとドットマトリックスの情報表示部を有する空調用コントローラを備え、前記複数の室外機と室内機および空調用コントローラとを通信制御手段で接続して空調用コントローラの操作に基づいて運転を行う空気調和システムにおいて、
前記複数の空調用コントローラの中で特定の空調用コントローラは、故障時の連絡先表示データを複数記憶する表示データ記憶部と、この表示データ記憶部から連絡先表示データを読み出して、接続されている特定の室内機に送信するシステムコントローラを備え、
前記特定の室内機は、前記特定の空調用コントローラから送信された連絡先表示データを受信し、受信した連絡先表示データを他の室内機に送信する制御部を備え、
前記他の室内機は、前記特定の室内機から送信された連絡先表示データを受信し、接続されている空調用コントローラに送信する制御部を備え、
前記空調用コントローラは表示データ記憶部と、前記他の室内機から送信された連絡先表示データを上記表示データ記憶部に記憶するとともに、前記情報表示部で表示するシステムコントローラを備えたことを特徴とする。
【００１２】
また、上記記載の空気調和システムにおいて、前記特定の空調用コントローラは、前記表示データ記憶部に複数の連絡先表示データをドットマトリックスのデータで記憶し、前記表示データ記憶部から読み出したドットマトリックスのデータを伝送データに変換する符号データ構築部を備え、前記システムコントローラにより、接続されている特定の室内機に伝送データを送信し、
前記特定の室内機の制御部は、前記特定の空調用コントローラから受信したドットマトリックスのデータを伝送データに変換する符号データ構築部を備え、この伝送データを接続されている他の室内機に送信することを特徴とする。
【００１３】
また、操作スイッチとドットマトリックス表示機を備えた空調用コントローラーと前記空調用コントローラーと通信を行う通信制御手段を有する空気調和システムにおいて、故障等が発生した場合に使用者が連絡する連絡先表示を複数固有することを特徴とする。
【００１４】
また、上記記載の空気調和システムにおいて、製品出荷時の空調用コントローラーに表示する連絡先は固定されているが、現地で空調用コントローラーの操作により複数の連絡先表示の中から連絡先を選択し、変更できるように構成されたことを特徴とする。
【００１５】
また、少なくとも１つの室内機と少なくとも１つの室外機からなる空気調和機複数台が通信制御手段を介して接続して成る空気調和機システムにおいて、空調用コントローラーの操作により１台の空調用コントローラーの連絡先表示データを通信制御手段を介して他の空気調和機に送信し、他の空気調和機の空調用コントローラーに表示する連絡先表示を前述の空調用コントローラーで操作した空調用コントローラーの連絡先表示に変更できるように構成したことを特徴とする。
【００１６】
また、少なくとも１つの室内機と少なくとも１つの室外機からなる空気調和機複数台が通信制御手段を介して接続して成る空気調和システムおいて、空気調和機群の通信制御手段に接続する別個の連絡先表示入力装置により、連絡先表示を変更できるように構成したことを特徴とする。
【００１７】
また、連絡先表示データをドットマトリックスのイメージデータとすることにより空調用コントローラーの連絡先表示が多国籍対応およびキャラクタ対応できるようにしたことを特徴とする。
【００１８】
また、空気調和機群の運転、停止、設定温度、運転モード制御を含む動作制御を前記空気調和機群に指令する動作制御機能を備えた連絡先表示入力装置、および連絡先表示設定に限定して空気調和機群からの取り外しに対応した連絡先表示入力装置を備えたことを特徴とする。
【００１９】
また、上記記載の空気調和システムにおいて、連絡先表示入力装置と空気調和機群の接続方法としては、有線方式または無線方式（赤外線通信、モバイル通信（短距離無線通信）、無線LAN通信など）を備えたことを特徴とする。
【発明の効果】
【００２０】
本発明によれば、連絡先情報の設定は連絡先表示入力装置で、全ての空調用コントローラーを一括して連絡先表示データを設定することから、設定作業時間が大幅に短縮でき、設定誤りも予防できる。また、連絡先表示入力装置からの連絡先表示データを、受信した各空調用コントローラーで復元してドットマトリック表示するデータの形で記憶するため、文字情報の種類の制限がなくなり、少ない記憶領域で済むと共に多国籍対応およびキャラクタ対応できる。
【００２１】
連絡先表示入力装置は、空気調和システムの制御用の通信制御手段に接続して連絡先表示データを設定することから、連絡先表示の変更が発生した場合も、空気調和機の使用状態に関係なく容易に変更ができる。
【００２２】
また、連絡先表示入力装置がなくとも、１台の空調用コントローラーからも空気調和システムに接続している複数の室内機を介して、全ての空調用コントローラーの連絡先表示データを設定・変更できるので、空調用コントローラーの設定・変更の作業時間が大幅に短縮でき、設定誤りも予防でき、さらに、空調用コントローラーが設置されている場所ならどこからでも設定・変更が可能になり便利である。
【００２３】
空調用コントローラーで記憶する文字情報の記憶領域が少なくなることで、他の動作制御に使用できる記憶領域が増え、より高度な動作制御の作成可能になる。
【図面の簡単な説明】
【００２４】
【図１】本発明の一実施形態に係る空気調和システムの概略構成図。
【図２】同じく連絡先表示入力装置の概略ブロック構成図。
【図３】同じく室内機の概略ブロック構成図。
【図４】同じく空調用コントローラーの概略ブロック構成図。
【図５】同じくドットマトリックスデータの説明図。
【図６】他の実施形態に係る室内機の概略ブロック構成図。
【図７】同じく空調用コントローラーの概略ブロック構成図。
【図８】空調用コントローラーの操作・表示部の外観説明図。
【図９】工場出荷時の連絡先表示データの説明図。
【図１０】工場出荷または任意設定時の連絡先表示データの説明図。
【図１１】任意設定時の連絡先表示データの説明図。
【発明を実施するための形態】
【００２５】
（実施態様１）
以下、本発明の空気調和システムで、連絡先表示入力装置により連絡先表示データを設定する空調用コントローラーに表示するまでの一実施形態について、図面に基づいて説明する。
【００２６】
図１に空気調和システム全体の概略構成図を示し、システムは複数の空気調和機と各空気調和機の操作をする空調用コントローラーからなる。具体的には、連絡先表示入力装置１、集中機器２、複数の室外機３ａ、３ｂ、複数の室内機４ａ、４ｂおよび空調用コントローラー５ａ〜５ｃからなる。前記室内機と空調用コントローラーは、通信制御手段として空調用コントローラー配線７で接続され、それ以外は通信制御手段として空気調和機制御配線６で接続されている。上記両配線６、７は、有線方式または無線方式（赤外線通信、モバイル通信（短距離無線通信）、無線LAN通信など）を採用できる。
【００２７】
ここで空気調和機は室外機と室内機から構成され、室外機と室内機の組合せは任意である。集中機器２は、前記空気調和機制御配線６を介して空気調和機全体（システム）を集中的に制御する。ここで、前記室内機４ａ、４ｂは、前記連絡先表示入力装置１から送信された連絡先表示データを受信し、接続されている前記空調用コントローラにこの受信したデータを送信する制御部６ａ、６ｂを備えている。室外機３ａ、３ｂは外部へ放熱する熱交換器（図示せず）を備え、室内機４ａ、４ｂは室内に放熱する熱交換器（図示せず）を備えている。
【００２８】
連絡先表示入力装置１は、システムの故障（構成機器の故障を含む）時にサービス会社に連絡するための連絡先表示データを作成し、前記空気調和機制御配線６を介して各室内機４ａ、４ｂに送信する。各室内機４ａ、４ｂは、受信した連絡先表示データを空調用コントローラー配線７を介して空調用コントローラー５ａ〜５ｃに送信し、空調用コントローラーは受信した連絡先表示データを記憶すると共に表示する。この連絡先表示データの流れは、図１で実線の矢印で示される。ここで、連絡先表示入力装置１は、空気調和システムの運転、停止、設定温度、運転モード制御を含む動作制御を各空気調和機に指令する動作制御機能を備えている。なお、連絡先表示入力装置１は、連絡先表示データの設定が必要なときに前記空気調和機制御配線６に接続されるようにしても良い。
【００２９】
図２に示すように、連絡先表示入力装置１はパソコン等で構成され、情報入力部２１、情報表示部２２、データ受信部２３、データ送信部２４、ＲＡＭ部２５、符号データ構築部２６、データ変換部２７および全体を制御するシステムコントローラ２８を備えている。連絡先表示データの入力設定は、情報入力部２１のキー操作により、ＲＡＭ部２５内に格納してあるデータベース（多数の文字、数字、記号を備えている）から連絡先表示データとして会社名を表す文字、及び電話番号を表す数字を選択して矢印（１）のように読出し、矢印（２）のように情報表示部２２に表示し、この表示を確認しながらなされる。従って、連絡先表示データの入力の誤設定を低減することができる。
【００３０】
上記のようにして設定された連絡先表示データは、データ変換部２７で一文字毎にドットマトリックスのデータ（図５の５０）のビット単位に変換された後に１６進データに変換される。例えば、１文字が１６ドットサイズの文字とすると、文字「あ」を１６×１６の２５６ビットのビット単位に分割する（図５の５０参照）。分割後のビットは情報有り５１は１、情報無し５２は０としてデータ割付をし、１行目から順番に８ビット毎の符号化データ（１６進データ）に変換を行う。
【００３１】
上述した符号化データを矢印（３）のように符号データ構築部２６に送り、ドットサイズの情報と、先頭バイトから最終バイトデータ（上述した符号化データ）の排他的論理和の値を付加した伝送データを構築する。すなわち、伝送データは、先頭のドットから１バイト毎に割付が行なわれ、最終バイトのデータ割付が終了した際に、ドット全体のサイズと、先頭から最終バイトデータの排他的論理和の値が組合された形で構築される。
【００３２】
上述した伝送データは、矢印（４）のようにデータ送信部２４を介して空気調和機制御配線６を介して複数の室内機４ａ、４ｂに１バイト単位で送信される。データ受信部２３では、上記で送信した伝送データの整合性を確保するために、室内機から返信された伝送データの送信状態信号の読み込みを行う。
【００３３】
各室内機４ａ、４ｂのそれぞれの制御部６ａ、６ｂは、図３の概略ブロックのように構成され、空気調和機制御配線６を介するデータ受信部３１とデータ送信部３２、空調用コントローラー配線７を介するデータ受信部３３とデータ送信部３４、符号データ構築部３５、データ変換部３６および全体を制御するシステムコントローラ３７を備えている。
【００３４】
各室内機４ａ、４ｂは、空気調和機制御配線６を介して送信された上記伝送データを矢印（４）のようにデータ受信部３１で取り込んで、データの整合性の確認を行う。この整合性の確認は、受信した伝送データについて、先頭から最終バイトデータの排他的論理和を算出した値と、受信した伝送データの最終バイトデータの論理和の値とを比較し、一致していれば正常データと判断し、不一致の場合は異常データと判断して整合性を確認し、整合性確認結果（正誤）をデータ送信部３２から連絡先表示入力装置１のデータ受信部２３に送信して整合性確認を行なう。整合性確認で不一致で整合性が取れていない（異常データ受信）場合は、データの再要求を連絡先表示入力装置１に送信する。
【００３５】
上述した伝送データの連絡先表示データ部分を符号データ構築３５でドットサイズの情報、及び先頭から最終バイトデータの排他的論理和を設けて室内機と空調用コントローラー間の伝送データを構築する。上述した伝送データは矢印（５）のようにデータ送信部３４より空調用コントローラー配線７を介して、複数の空調用コントローラー５ａ〜５ｃに送信される。またデータ受信部３３では、上記で送信した伝送データの整合性を確保するために、空調用コントローラーから返信された伝送データの送信状態信号の読み込みを行う。
【００３６】
空調用コントローラーは、図４の概略ブロックのように構成され、操作スイッチからなる情報入力部４１、ドットマトリックスの表示器からなる情報表示部４２、表示データ記憶部４３、空調用コントローラー配線７を介するデータ受信部４４とデータ送信部４５、復号データ構築部４６、データ変換部４７、符号データ構築部４８および全体を制御するシステムコントローラ４９を備えている。図８に空調用コントローラーの情報入力部４１と情報表示部４２の外観を示し、情報入力部４１は操作スイッチとして運転停止スイッチ、決定スイッチ、メニュー選択スイッチ、戻りスイッチおよびガイドスイッチからなる。
【００３７】
空調用コントローラー配線７を介して送信されてきた伝送データは、データ受信部４４で受信し、図４の矢印（５）に示すように取込んで、伝送データの整合性確認を行う。前述と同様に、受信した伝送データについて、先頭から最終バイトデータの排他的論理和を算出した値と、受信した伝送データの最終バイトデータの論理和の値とを比較し、一致していれば正常データと判断し、不一致の場合は異常データと判断して整合性を確認し、整合性確認結果（正誤）をデータ送信部４５から室内機のデータ受信部３３に送信して整合性確認を行なう。整合性確認で不一致で整合性が取れていない（異常データ受信）場合は、データの再要求を室内機４ａ、４ｂに送信をする。
【００３８】
整合性確認で正常と判断された場合は、伝送データの連絡先表示データ部分は、データ変換部４７にて１６進数データを２進数データに変換され、この２進数データは更に矢印（６）のように送られ、復号データ構築部４６でドットマトリックスデータ（図５参照）に復元される。例えば、１文字サイズが１６ドットサイズの文字は、上述した２進数データを１行目から順番に１６ビット毎のドットマトリックスデータに復元される。復元されたドットマトリックスデータは、矢印（７）に示すように表示データ記憶部４３に１文字分のデータとして記憶されるとともに、矢印（８）に示すように情報表示部４２に表示される。上記を繰り返して各文字が復元され、連絡先表示データの復元がなされる。
【００３９】
本実施態様では、連絡先表示入力装置１で入力した連絡先表示データを各室内機を介して各空調用コントローラーに一括して伝送データを送信してドットマトリックスデータとして記憶するため、入力作業が一回で済み能率的であり、空調用コントローラー側では、予め文字、数字、記号等のデータベースが不要となってデータ格納用の記憶領域が少なくて済む。
【００４０】
また、前記各部間の伝送データの送受信に際しては整合性確認を取っているので伝送の信頼性が高い。さらに、ドットデータで記憶、表示がなされるので、海外仕様において言語の制約が無くなり、多国籍対応およびキャラクタ対応が可能で現地での連絡先表示データの設定・修正が極めて容易となる。
（実施態様２）
次に、他の実施態様について図６、図７を参考に説明する。本実施態様では、連絡先表示入力装置が接続されていない場合に、特定の空調用コントローラーでカーソルキーを操作して連絡先表示データを設定することで、他の室内機に接続した他の空調用コントローラーに同じ連絡先表示データを設定にすることが可能となるものである。この連絡先表示データの流れは、図１で破線の矢印で示される。
【００４１】
図１で、特定の空調用コントローラーを５ａ、他の空調用コントローラーを５ｂ、５ｃ、特定の室内機を４ａ、他の室内機を４ｂとする。図７に特定の空調用コントローラーでの連絡先表示データの流れを破線矢印で示し、図６に特定の空調用コントローラーが接続された特定の室内機の制御部での連絡先表示データの流れを破線矢印で示す。図６と図７の構成はそれぞれ図３と図４と同一である。
【００４２】
図７で、表示データ記憶部４３には、データベースとして１文字１ビット単位のデータが記憶されている。例えば、文字「あ」１文字が１６ドットサイズの文字は１６×１６の２５６ビット、３２ドットサイズは３２×３２の１０２４ビットに分割して記憶されている。分割後のビットは図５に示すように情報有り５１は１、情報無し５２は０としてデータ割付をして１行目から順番に８ビット毎の符号化データ（１６進データ）で記憶されている。
【００４３】
図７で、特定の空調用コントローラーでは、情報入力部４１で表示データ記憶部４３のデータベースに格納してある多数の連絡先表示データの中から所定の連絡先表示データの文字情報を選択し、情報表示部４２に表示することで文字情報を確認しながら、文字毎に連絡先表示データの入力を行なう。入力された連絡先表示データを、矢印（１）に示すように符号データ構築部４８に送り、文字毎にドットサイズの情報と、先頭から最終バイトデータ（上述した符号化データ）の排他的論理和の値を付加した伝送データを構築する。
【００４４】
上記で構築された伝送データは、矢印（２）に示すように、データ送信部４５より空調用コントローラー配線７を介して、特定の空調用コントローラーに５ａ（図１参照）接続されている特定の室内機４ａ（図１参照）に送信される。また、データ受信部４４では送信したデータの整合性を確保するため、室内機４ａからの送信状態を読み込みを行う。
【００４５】
室内機４ａは、空調用コントローラー配線７を介して送信された連絡先表示データを、図６に示す特定の室内機のデータ受信部３３で受信し（２）、伝送データの整合性の確認を行う。先頭から最終バイトデータの排他的論理和を算出した値と、受信した最終バイトデータの論理和の値とを比較して整合性の確認し、整合性確認結果をデータ送信部３４から空調用コントローラーのデータ受信部４４に送信して上述の整合性を確保する。このとき整合性確認で整合性が取れていない場合には、データの再要求を空調用コントローラー５ａに送信する。
【００４６】
室内機４ａは、整合性確認で正常と判断した場合は、伝送データを図６の矢印（３）に示すように符号データ構築部３５送り、伝送データの連絡先表示データ部分をドットサイズの情報と、先頭バイトから最終バイトデータの排他的論理和を設けた伝送データを構築する。上記で構築された伝送データは、矢印（４）、（５）に示すように、データ送信部３２より空気調和機制御配線６を介して他の複数の室内機、例えば他の室内機４ｂ（図１参照）に送信される。空気調和機制御配線６では、１バイト単位で伝送データを伝達する。
【００４７】
次に図６の制御部を他の室内機４ｂの制御部６ｂと仮定して説明すれば、空気調和機制御配線６を介して上記データ送信部３１で受信された伝送データは、矢印（５）、（６）に示すように符号データ構築部３５に送られる。ここで、符号データ構築部３５での処理前に、データ受信部３１で送信されたデータの整合性を確保するために特定の室内機からの送信状態の読み込みを行い、受信部３１で受信した伝送データの整合性の確認を行う。整合性の確認は、先頭から最終バイトデータの排他的論理和を算出した値と、受信した最終バイトデータの論理和の値とを比較して整合性を確認し、整合性確認結果を送信元の特定の室内機にデータ送信部３２で返信して行う。このとき整合性確認で整合性が取れていない場合には、データの再要求を送信元の特定の室内機に送信をする。
【００４８】
他の室内機４ｂの制御部６ｂで、整合性確認で正常と判断した場合は、上述した伝送データの連絡先表示データ部分を符号データ構築部３５で、ドットサイズの情報、及び先頭から最終バイトデータの排他的論理和を設けた室内機空調用コントローラー間の伝送データを構築する。
【００４９】
構築された伝送データは矢印（７）に示すようにデータ送信部３４に送られ、ここから矢印（９）に示すように空調用コントローラー配線７を介して接続されている他の空調用コントローラー５ｃ（図１参照）に送信される。他の空調用コントローラー５ｃが複数接続されていれば、複数に送られる。また、データ受信部３３で送信した伝送データの整合性を確保するために上記他の空調用コントローラーからの折り返しの送信状態の読み込みを行う。
【００５０】
一方、空調用コントローラー配線７を介して伝送データが送信された他の空調用コントローラーは、送信されてきたデータを図７（他の空調用コントローラー５ｃと仮定する）に示すデータ受信部４４で受信して、その整合性の確認を行う。この確認は、先頭から最終バイトデータの論理和を算出した値と、受信した最終バイトデータの論理和の値とを比較し、整合性確認結果をデータ送信部４５から室内機４ｂに送信して整合性を確保する。このとき整合性確認で整合性が取れていない場合には、データの再要求を他の室内機４ｂに送信をする。
【００５１】
他の空調用コントローラー５ｃで、整合性確認で正常と判断した場合は、図７でデータ受信部４４で受信した連絡先表示データを、データ変換部４７にて１６進数データから２進数データに変換する。次いで、復号データ構築４６で上述した２進数データをドットマトリックスデータに復元する（図５参照）。例えば、１文字サイズが１６ドットサイズの文字は、上述した２進数データを１行目から順番に１６ビット毎のドットマトリックスデータに復元を行う。上述したドットマトリックスデータとして、情報データ記憶領域４３に最初の１文字分のデータを記憶し、情報表示部４２に表示する。この動作を繰返すことにより連絡先表示データを示す一連の文字を記憶すると共にその表示が行なわれる。上記動作は、図４に実線矢印で示す信号の流れと同じである。
【００５２】
本実施態様では、特定の１台の空調用コントローラーで連絡先表示データを設定することで、特定の空調用コントローラーに接続されている特定の室内機と他の室内機（複数の室内機）を経由して、他の室内機に接続されたシステムの全て空調用コントローラーに連絡先表示データを設定にすることが可能となる。そして、特定の空調用コントローラー→特定の室内機→他の室内機→他の空調用コントローラーの手順で、連絡先表示データを伝送しているが、この伝送データの送受信では全て整合性確認を取っているので、データ伝送の信頼性が高い。さらに、上記特定の空調用コントローラーは任意の空調用コントローラーでよいので、前記実施態様１で述べた効果に加え、空調用コントローラーが設置されている場所ならどこからでも設定・変更がタイムリーに敏速に行なえ、便利である。
【符号の説明】
【００５３】
１…連絡先表示入力装置、２…集中機器、３ａ、３ｂ…室外機、４ａ、４ｂ…室内機、３ａ、３ｂ、４ａ、４ｂ…空気調和機、５ａ〜５ｃ…空調用コントローラ、６…通信制御手段（空気調和機制御配線）、６ａ、６ｂ…制御部７…通信制御手段（空調用コントローラ配線）、２７…データ変換部、３５、４６…符号データ構築部、４１…操作スイッチ（情報入力部）、４２…情報表示部、４３…表示データ記憶部、４７…データ変換部、４９…システムコントローラ、５０…ドットマトリックスのデータ。
【図１】
2011012824.tif 000003
【図２】
2011012824.tif 000004
【図３】
2011012824.tif 000005
【図４】
2011012824.tif 000006
【図５】
2011012824.tif 000007
【図６】
2011012824.tif 000008
【図７】
2011012824.tif 000009
【図８】
2011012824.tif 000010
【図９】
2011012824.tif 000011
【図１０】
2011012824.tif 000012
【図１１】
2011012824.tif 000013